(57)【特許請求の範囲】
【請求項１】
収納部と貫通孔を設けた筒部と前記筒部の端部に前記貫通孔の一部を塞ぐように設けられた鍔部とを有する軸受けと、孔を設けた筒状部を有する回転体を備えた回転型電気部品と、該回転型電気部品の後部に配設され、可動接点と固定接点とを有するプッシュスイッチと、前記軸受けの前記貫通孔と前記回転体の前記筒状部の前記孔に挿通され、鍔部を有する操作軸とを備え、前記回転体が前記収納部内に収納された状態で、前記回転体の前記筒状部を前記軸受けの前記貫通孔内に挿入すると共に、前記操作軸の前記鍔部を前記軸受けの前記筒部の前記貫通孔内に位置させ、前記軸受けの前記鍔部によって前記操作軸の抜け止めを行い、前記操作軸の回転動作で、前記操作軸が前記軸受けの前記鍔部に支持されて回転すると共に、前記軸受けの前記筒部をガイドにして回転する前記筒状部を有する前記回転体を回転させて前記回転型電気部品を操作し、前記操作軸の軸方向の移動動作で、前記プッシュスイッチを操作するようにしたことを特徴するプッシュスイッチ付回転型電気部品。
【請求項２】
前記軸受けの前記貫通孔内において、前記軸受けの前記鍔部と前記操作軸の前記鍔部との間に弾性部材を設けたことを特徴とする請求項１記載のプッシュスイッチ付回転型電気部品。
【請求項３】
前記弾性部材を、湾曲した金属板で構成したことを特徴とする請求項２記載のプッシュスイッチ付回転型電気部品。
【請求項４】
前記軸受けの前記鍔部と前記操作軸の前記鍔部との対向する側において、前記軸受けの前記鍔部、或いは前記操作軸の前記鍔部の少なくとも一方に凸部を設け、該凸部の先端部と該先端部に対向する前記鍔部との間隙を、前記弾性部材を介在させた前記軸受けの前記鍔部と前記操作軸の前記鍔部との間隙よりも小さくしたことを特徴とする請求項２、又は３記載のプッシュスイッチ付回転型電気部品。
【発明の詳細な説明】
【０００１】
【発明の属する技術分野】
本発明は、操作軸の軸方向の移動動作で接点をＯＮ，ＯＦＦさせるプッシュスイッチを備え、操作軸の回転動作によりパルススイッチ、或いは可変抵抗器等の回転型電気部品を操作するようにしたプッシュスイッチ付回転型電気部品に関する。
【０００２】
【従来の技術】
従来のこの種のプッシュスイッチ付回転型電気部品は、図５に示すように、軸受け３１は、収納部３１ａと、貫通孔３１ｂと、端部に貫通孔３１ｂの一部を塞ぐように設けられた鍔部３１ｃを有している。
また、軸受け３１の収納部３１ａ内には、中心部に孔３２ａを有する回転可能な磁気ドラム３２と、磁気ドラム３２に対向した位置に固定された複数個のホールＩＣ３３とが収納され、磁気ドラム３２とホールＩＣ３３とでロータリエンコーダである回転型電気部品Ｄが構成されている。
【０００３】
また、磁気ドラム３２には、凹凸部３２ｂが設けられ、収納部３１ａ内に固定されたバネ３４が凹凸部３２ｂに係脱可能になっていて、磁気ドラム３２の回転時、クリック動作を行うことが出来るようになっている。
また、操作軸３５は、溝３５ａを有する円形部３５ｂと、円形部３５ｂに繋がる非円形部３５ｃと、非円形部３５ｃに繋がる突部３５ｄとを有し、この操作軸３５は、軸受け３１の貫通孔３１ｂと磁気ドラム３２の孔３２ａに挿通され、円形部３５ｂが鍔部３１ｃに、また、非円形部３５ｃが孔３２ａに位置した状態と成っている。
そして、操作軸３５の溝３５ａには、金属製のワッシャー３６が取り付けられて、ワッシャー３６が鍔部３１ｃの内面と当接すようにして、操作軸３５の抜け止めを行っている。
また、このようにして取り付けられた操作軸３５は、回転動作と軸方向の移動動作が可能で、操作軸３５を回転すると、円形部３５ｂが鍔部３１ｃをガイドにして回転すると共に、非円形部３５ｃによって磁気ドラム３２を回転し、また、操作軸３５を軸方向に移動すると、鍔部３１ｃと孔３２ａとの間でスライドして移動するようになっている。
【０００４】
また、合成樹脂の成型品から成る絶縁基体３７は、軸受け３１の収納部３１ａの開放部を覆うように配設され、この絶縁基体３７の凹部３７ａ内には、プッシュスイッチＰが取り付けられている。
そして、このプッシュスイッチＰは、ケース３８に埋設された固定接点３９と、ケース３８内に配設された可動接点４０と、ケース３８内に設けられ、可動接点４０を覆うように配設されたドーム状のゴム部材４１と、ケース３８の開放部を覆うように配設された板部４２とで構成されている。
そして、プッシュスイッチＰが回転型電気部品Ｄの後部に取り付けられた際、ゴム部材４１は、操作軸３５の突部３５ｄと対向した状態で近接した位置にあって、操作軸３５を前方に押し圧するようになっている。
【０００５】
このようなプッシュスイッチ付回転型電気部品において、操作軸３５に取り付けられたツマミ４３を回転すると、操作軸３５によって磁気ドラム３２がクリック動作を行いながら回転し、この磁気ドラム３２の回転によってホールＩＣ３３が出力信号を発生して、回転型電気部品Ｄが操作される。
また、ツマミ４３を軸方向に押し圧して移動すると、操作軸３５も移動して、突部３５ｄでゴム部材４１を押圧する。
すると、ゴム部材４１が押されて変形し、ゴム部材４１が可動接点４０を押圧して、可動接点４０が固定接点３９に接触してＯＮとなる。
そして、ツマミ４３の押し圧を解除すると、ゴム部材４１は自己のバネ性により元の状態に復帰するため、操作軸３５はゴム部材４１によって押し戻されて、ワッシャー３６が鍔部３１ｃに係止されると共に、可動接点４０は自己のバネ性により元の状態に復帰してＯＦＦの状態となる。
このようにして、回転型電気部品ＤとプッシュスイッチＰの操作が行われるものである。
【０００６】
【発明が解決しようとする課題】
従来のプッシュスイッチ付回転型電気部品は、操作軸３５の抜け防止をワッシャー３６で行うものであるため、ワッシャー３６を必要とし、部品点数が多くなる上に、組立性が悪く、高価に成るという問題がある。
また、操作軸３５を押し圧した後、これを解除した時、操作軸３５が押し戻されてワッシャー３６が鍔部３１ｃにぶつかるため、ぶつかり音が発生し、この音が耳障りとなり、品質が悪くなるという問題がある。
また、操作軸３５は、軸受け３１の鍔部３１ｃで回転動作と軸方向の移動動作の保持を行うものであるため、小径部分の保持となり、操作軸３５の動作に円滑さを欠くという問題がある。
【０００７】
【課題を解決するための手段】
上記課題を解決するための第１の解決手段として、収納部と貫通孔を設けた筒部と前記筒部の端部に前記貫通孔の一部を塞ぐように設けられた鍔部とを有する軸受けと、孔を設けた筒状部を有する回転体を備えた回転型電気部品と、該回転型電気部品の後部に配設され、可動接点と固定接点とを有するプッシュスイッチと、前記軸受けの前記貫通孔と前記回転体の前記筒状部の前記孔に挿通され、鍔部を有する操作軸とを備え、前記回転体が前記収納部内に収納された状態で、前記回転体の前記筒状部を前記軸受けの前記貫通孔内に挿入すると共に、前記操作軸の前記鍔部を前記軸受けの前記筒部の前記貫通孔内に位置させ、前記軸受けの前記鍔部によって前記操作軸の抜け止めを行い、前記操作軸の回転動作で、前記操作軸が前記軸受けの前記鍔部に支持されて回転すると共に、前記軸受けの前記筒部をガイドにして回転する前記筒状部を有する前記回転体を回転させて前記回転型電気部品を操作し、前記操作軸の軸方向の移動動作で、前記プッシュスイッチを操作するようにした構成とした。
また、第２の解決手段として、前記軸受けの前記貫通孔内において、前記軸受けの前記鍔部と前記操作軸の前記鍔部との間に弾性部材を設けた構成とした。
また、第３の解決手段として、前記弾性部材を、湾曲した金属板で構成した構成とした。
また、第４の解決手段として、前記軸受けの前記鍔部と前記操作軸の前記鍔部との対向する側において、前記軸受けの前記鍔部、或いは前記操作軸の前記鍔部の少なくとも一方に凸部を設け、該凸部の先端部と該先端部に対向する前記鍔部との隙間を、前記弾性部材を介在させた前記軸受けの前記鍔部と前記操作軸の前記鍔部との隙間よりも小さくした構成とした。
【０００８】
【発明の実施の形態】
本発明のプッシュスイッチ付回転型電気部品を図１〜図４に基づいて説明すると、図１は本発明のプッシュスイッチ付回転型電気部品の断面図、図２は本発明のプッシュスイッチ付回転型電気部品の要部の分解斜視図、図３は本発明のプッシュスイッチ付回転型電気部品の動作を示す説明図、図４は本発明のプッシュスイッチ付回転型電気部品の他の実施形態を示す要部断面図である。
【０００９】
そして、本発明のプッシュスイッチ付回転型電気部品は、図１〜図３に示すように、亜鉛ダイキャスト等から成る軸受け１は、収納部１ａと、貫通孔１ｂを設けた筒部１ｃと、筒部１ｃの端部に貫通孔１ｂの一部を塞ぐように設けられた鍔部１ｄを有している。
また、軸受け１の収納部１ａ内には、中心部に非円形状の孔２ａを有する回転可能な回転体２が配設され、この回転体２は、凹凸部２ｂと筒状部２ｃとを有する金属から成る保持部２ｄと、保持部２ｄに結合された合成樹脂から成る絶縁部材２ｅと、絶縁部材２ｅに取り付けられた金属板から成る可動接点３とで構成され、そして、この回転体２の筒状部２ｃは、軸受け１の貫通孔１ｂ内に挿入されて、軸受け１をガイドにして回転するようになっている。
また、合成樹脂の成型品から成る取付基体４には、固定接点５が埋設され、この取付基体４は、軸受け１の収納部１ａの開放部を覆うように配設されて軸受け１に取り付けられている。
そして、取付基体４が取り付けられた際、固定接点５の弾性接点（図示せず）が可動接点３に接離して接点の切り換えが行われるもので、可動接点３を有する回転体２と固定接点５を有する取付基体４とでパルススイッチである回転型電気部品Ｄが構成されている。
なお、回転型電気部品Ｄは、エンコーダ、可変抵抗器等でも良い。
【００１０】
また、軸受け１の収納部１ａ内には、金属板から成るバネ６が固定され、このバネ６が回転体２の凹凸部２ｂに係脱可能になっていて、回転体２の回転時、クリック動作を行うことが出来るようになっている。
また、金属等から成る操作軸７は、操作部７ａと、操作部７ａより大径の円形から成る鍔部７ｂと、鍔部７ｂに繋がって設けられた非円形部７ｃと、非円形部７ｃに繋がって軸心部に設けられた円柱状の係合部７ｄとを有している。
そして、この操作軸７は、軸受け１の貫通孔１ｂと回転体２の孔２ａに挿通され、操作部７ａが鍔部１ｄに、また、鍔部７ｂが貫通孔１ｂに、更に、非円形部７ｃが孔２ａに位置した状態と成っていて、操作軸７は、鍔部１ｄによる操作部７ａの支持で回転すると共に、軸方向の移動を行い、そして、操作軸７は、鍔部７ｂが軸受け１の鍔部１ｄに係合可能になって、軸受け１からの抜け防止を行っている。
また、バネ性ある金属板を湾曲して形成された弾性部材８は、操作軸７の操作部７ａに挿通されて、軸受け１の鍔部１ｄと操作軸７の鍔部７ｂとの間に配置されて取り付けられている。
そして、この弾性部材８は、操作軸７を常時後方に弾圧すると共に、操作軸７が前方に押し戻された際、鍔部７ｂの鍔部１ｄへの衝突を防ぐと共に、弾性部材８の鍔部１ｄへの衝突を和らげ、衝突音を少なくしている。
【００１１】
また、回転型電気部品Ｄの後部には、取付板９によってプッシュスイッチＰが取り付けられ、このプッシュスイッチＰは、合成樹脂の成型品から成るケース１０に埋設された固定接点１１と、ケース１０内に配設された可動接点１２と、ケース１０内に配置され、可動接点１２を覆うように配設されたドーム状のゴム部材１３と、ゴム部材１３の抜け止めをなす板部１４とで構成されている。
また、前記ゴム部材１３は、ドーム状の頂部が平坦面となっており、その中心部、即ち、操作軸７の軸心部と一直線上の位置に凹部１３ａが形成されており、プッシュスイッチＰが回転型電気部品Ｄの後部に取り付けられた際、ゴム部材１３は、操作軸７の係合部７ｄと一直線上の位置で配置されるようになっている。
【００１２】
また、合成樹脂の成型品等から成る連結部材１５は、孔から成る係合部１５ａを有する略円錐形状の基部１５ｂと、基部１５ｂの一端から張り出した平坦面を有する張り出し部１５ｃと、張り出し部１５ｃの中心部に設けられた凸部１５ｄとで構成されている。
そして、この連結部材１５は、基部１５ｂが取付基体４の孔４ａと回転体２の絶縁部材２ｅの孔２ｆに挿通されて、係合部１５ａである孔に、操作軸７の係合部７ｄを嵌入すると共に、凸部１５ｄをゴム部材１３の凹部１３ａに嵌合した状態で、張り出し部１５ｃの平坦面をゴム部材１３の頂部の平坦面に重ね合わせ、且つ、張り出し部１５ｃを取付基体４の凹部から成る収納部４ｂに収納、保持することにより取り付けられている。
そして、このようにして取り付けられた連結部材１５は、係合部１５ａ、及び凸部１５ｄが操作軸７の軸心線Ｓ上に位置して配置されると共に、連結部材１５は、ゴム部材１３で押圧されて取付基体４に当接して収納部４ｂに保持され、また、操作軸７は、この連結部材１５で前方に押圧されている。
また、鍔部１ｄの孔、及び円筒部２ａと貫通孔１ｂの当接部等、金属同志が摺接する個所には図示しないグリスが塗布されている。
【００１３】
このようなプッシュスイッチ付回転型電気部品において、図１の状態で操作軸７を回転すると、操作軸７は、操作部７ａが鍔部１ｄをガイドすると共に、操作軸７に一体に取り付けられた連結部材１５の基部１５ｂの根本部分が取付基体４の孔４ａにガイドされ、２点支持された状態で回転し、操作軸７によって回転体２がクリック動作を行いながら回転する。
そして、回転体２の回転で可動接点３が回転して、可動接点３が固定接点４と接離して接点の切り換えが行われて、回転型電気部品Ｄが操作される。
また、図１の状態で操作軸７を軸方向に押し圧して移動すると、操作部７ａが鍔部１ｄ、及び非円形部７ｃが孔２ａをガイドにして移動して、操作軸７は、連結部材１５を軸方向に移動すると共に、連結部材１５は凸部１５ｄと張り出し部１５ｃの平坦面でゴム部材１３を押圧する。
すると、図３に示すように、ゴム部材１３が押されて変形して反転し、ゴム部材１３が可動接点１２を押圧して、可動接点１２が固定接点１１に接触してＯＮとなる。
そして、この状態から操作軸７の押し圧を解除すると、ゴム部材１３は自己のバネ性により元の状態に反転復帰するため、連結部材１５と操作軸７はゴム部材１３によって押し戻される。
この時、操作軸７の鍔部７ｂと軸受け１の鍔部１ｄとの間に介在したバネ部材８によって、操作軸７の戻りの衝撃が和らげられ、衝突音が極めて少なくなる。また、この際、基部１５ｂは略円錐形状であり、先端が細くなっているので孔４ａに引っかかることはない。
そして、操作軸７の鍔部７ｂが鍔部１ｄによって移動が停止し、且つ、連結部材１５の張り出し部１５ｃが取付基体４の収納部４ｂに保持されて移動が停止すると、可動接点１２は自己のバネ性により元の状態に復帰してＯＦＦの状態となって、図１の状態に戻る。
このようにして、回転型電気部品ＤとプッシュスイッチＰの操作が行われるものである。
また、本実施例においては、操作部７ａが鍔１ｄをガイドにしているから、他方のガイド部との距離を長くできるが、鍔部７ｂを筒部１ｃにガイドとして当接位置にグリスを塗布しても良い。その場合には、大きな径での支持回転となるため、円滑な安定した操作感触を得ることが出来る。
【００１４】
また、上記実施例におけるゴム部材１３と連結部材１５の凹部１３ａと凸部１５ｄとの関係を逆にし、ゴム部材１３には凸部を、また、連結部材１５には凹部を設けても良い。
また、図４は本発明のプッシュスイッチ付回転型電気部品の他の実施形態を示し、この実施例は、軸受け１の鍔部１ｄに対向する操作軸７の鍔部７ｂに凸部７ｅを設け、凸部７ｅの先端部と鍔部１ｄとの間の隙間Ｙ１を、弾性部材８を介在させた鍔部７ｂと鍔部１ｄとの隙間Ｙ２よりも小さくして、操作軸７が強い力で復帰した時、凸部７ｅが鍔部１ｄに当接するようにして、弾性部材８のへたり、塑性変形を防止したものである。
なお、凸部７ｅは鍔部１ｄ側に設けても良い。
【００１５】
【発明の効果】
本発明のプッシュスイッチ付回転型電気部品は、軸受け１の端部に、貫通孔１ｂの一部を塞ぐような鍔部１ｄを設け、貫通孔１ｂ内に操作軸７の鍔部７ｂを位置させて、軸受け１の鍔部１ｄで操作軸７の抜け止めを行うようにしたため、抜け止めのための別部品が不要で、部品点数が少なく、組立性の良好な、安価なプッシュスイッチ付回転型電気部品を提供できる。
また、操作軸７を、大きな径の鍔部７ｂが軸受け１の筒部１ｃに支持されて回転するようにすれば、操作軸７の回転動作が円滑になると共に、操作軸７の操作部７ａが軸受け１の鍔部１ｄで支持されて、操作軸７が鍔部７ｂと操作部７ａの２点支持となり、操作軸７の回転動作、及び移動動作がスムースで安定した動作のプッシュスイッチ付回転型電気部品を提供できる。
また、軸受け１の鍔部１ｄと操作軸７の鍔部７ｂとの間に弾性部材８を設けることにより、操作軸７の移動復帰時の衝撃を和らげ、衝撃音を少なくでき、耳障りのない高品質のプッシュスイッチ付回転型電気部品を提供できる。
また、弾性部材８を、湾曲した金属板で構成することにより、構造が簡単で、安価な弾性部材８を有するプッシュスイッチ付回転型電気部品を提供できる。
また、鍔部１ｄ，７ｂの一方に凸部を設け、凸部の先端部と鍔部との間の隙間Ｙ１を、鍔部１ｄと７ｂとの間の隙間Ｙ２よりも小さくしたものであるため、弾性部材８のへたり、塑性変形を防止でき、長期にわたってバネ性を維持でき、長期にわたって耳障りのない高品質のプッシュスイッチ付回転型電気部品を提供できる。
【図面の簡単な説明】
【図１】本発明のプッシュスイッチ付回転型電気部品の断面図。
【図２】本発明のプッシュスイッチ付回転型電気部品の要部の斜視図。
【図３】本発明のプッシュスイッチ付回転型電気部品の動作を示す説明図。
【図４】本発明のプッシュスイッチ付回転型電気部品の他の実施形態を示す要部断面図。
【図５】従来のプッシュスイッチ付回転型電気部品の断面図。
【符号の説明】
１  軸受け
１ａ  収納部
１ｂ  貫通孔
１ｃ  筒部
１ｄ  鍔部
２  回転体
２ａ  孔
２ｂ  凹凸部
２ｃ  筒状部
２ｄ  保持部
２ｅ  絶縁部材
２ｆ  孔
３  可動接点
４  取付基体
４ａ  孔
４ｂ  収納部
５  固定接点
Ｄ  回転型電気部品
７  操作軸
７ａ  操作部
７ｂ  鍔部
７ｃ  非円形部
７ｄ  係合部
７ｅ  凸部
８  弾性部材
９  取付板
Ｐ  プッシュスイッチ
１０  ケース
１１  固定接点
１２  可動接点
１３  ゴム部材
１３ａ  凹部
１４  板部
１５  連結部材
１５ａ  係合部
１５ｂ  基部
１５ｃ  張り出し部
１５ｄ  凸部
【図１】
0003549377.tif 000002
【図２】
0003549377.tif 000003
【図３】
0003549377.tif 000004
【図４】
0003549377.tif 000005
【図５】
0003549377.tif 000006